【手続補正書】
【提出日】平成28年4月14日(2016.4.14)
【手続補正１】
【補正対象書類名】特許請求の範囲
【補正対象項目名】全文
【補正方法】変更
【補正の内容】
【特許請求の範囲】
【請求項１】
高吸収性ポリマー（４、４ｂ）からなる少なくとも１つの分散層（１９）を備えた吸収性パッド（２）で構成された吸収性衛生用品の製造用機械であって、
前記機械（１）は、少なくとも１つの非浸透性材料の連続ウェブ（６）を供給するライン（５）と、前記吸収性パッド（２）の連続物（８）を非浸透性材料の前記連続ウェブ（６）に沿って形成し付着する少なくとも１つの形成付着ユニット（７）とを備え、前記形成付着ユニット（７）は、前記吸収性パッド（２）を成形するための成形ドラム（１０）と、前記高吸収性ポリマー（４、４ｂ）の充填物を前記成形ドラム（１０）に供給するための供給ダクト（１３）と、前記供給ダクト（１３）の区間（Ｔ）に沿って装着され、自身のアクチュエータユニット（２０）で駆動される間欠バルブ手段（１５）と、を備え、
前記機械（１）は、前記吸収性パッド（２）の前記分散層（１９）を形成する前記高吸収性ポリマー（４、４ｂ）を検出する検出装置（１６）と、前記検出装置（１６）に接続された制御駆動ユニット（１７）を備えたことを特徴とし、
前記検出装置（１６）は高吸収性ポリマーの検出信号（１８）を送信し、前記制御駆動ユニット（１７）は、前記検出信号（１８）を取得してそれを参照信号（４０）と比較して、前記参照信号（４０）からの前記検出信号（１８）のずれが定義した閾値を超えている場合には前記制御駆動ユニット（１７）は前記アクチュエータユニット（２０）を駆動して前記バルブ手段（１５）の位相を前記成形ドラム（１０）の前記回転と合わせる吸収性衛生用品の製造用機械。
【請求項２】
前記検出装置（１６）は前記間欠バルブ手段（１５）の下流の前記供給ダクト（１３）の区間に沿って装着されており、前記検出装置（１６）は、前記供給ダクト（１３）内の高吸収性ポリマー（４、４ｂ）の充填物それぞれの通過を検出して前記検出信号（１８）を前記制御駆動ユニット（１７）に送信することを特徴とする請求項１に記載の吸収性衛生用品の製造用機械。
【請求項３】
前記検出装置（１６）は、少なくとも部分的に前記供給ダクト（１３）の内部に対向するマイクロ波共振器（２１）を備えることを特徴とする請求項１または２に記載の吸収性衛生用品の製造用機械。
【請求項４】
前記吸収性パッド（２）を検出する前記検出装置（１６）は吸収性パッド（２）の前記連続体（８）を形成し付着する前記形成付着ユニット（７）の下流で前記供給ライン（５）に沿って装着されており、前記検出装置（１６）は、前記吸収性パッド（２）の内部で高吸収性ポリマー（４、４ｂ）の前記分散層（１９）の位置を検出するように構成されたことを特徴とする請求項１に記載の吸収性衛生用品の製造用機械。
【請求項５】
前記吸収性パッド（２）を検出するための前記検出装置（１６）が高吸収性ポリマー（４、４ｂ）の前記分散層（１９）の前記位置を前記制御駆動ユニット（１７）に送り、前記制御駆動ユニット（１７）は前記検出装置（１６）が検出した前記検出位置（２２）を参照位置（２３）と比較して、前記参照位置（２３）からの前記検出位置（２２）のずれを算出し、
前記制御駆動ユニット（１７）は前記アクチュエータユニット（２０）を駆動して、そのずれに応じて前記バルブ手段（１５）を前記成形ドラム（１０）の回転に位相を合わせることを特徴とする請求項４に記載の吸収性衛生用品の製造用機械。
【請求項６】
前記検出装置（１６）は、前記供給ライン（５）に沿って進む前記吸収性パッド（２）の前記連続体（８）と少なくとも一部対向するマイクロ波共振器（２１）を備えることを特徴とする請求項４または５に記載の吸収性衛生用品の製造用機械。
【請求項７】
前記検出装置（１６）は、前記吸収性パッド（２）を形成する前記高吸収性ポリマー（４、４ｂ）の重量、密度プロファイルおよび重量プロファイルパラメータのうちの少なくとも１つを検出することを特徴とする請求項１から６のいずれかに記載の吸収性衛生用品の製造用機械。
【請求項８】
前記形成付着ユニット（７）は、前記高吸収性ポリマー（４、４ｂ）それぞれを測定する少なくとも１つのシステム（３２、３３、３４）を備え、それが前記検出装置（１６）に接続された制御駆動ユニット（１７）を備え、前記制御駆動ユニット（１７）は、前記高吸収性ポリマー（４、４ｂ）の前記重量、密度プロファイルおよび重量プロファイルパラメータのうちの少なくとも１つを前記検出装置（１６）から受信し、それぞれの参照パラメータと比較するように構成されており、前記制御駆動ユニット（１７）は、前記検出パラメータの前記参照パラメータからの前記ずれに応じて前記高吸収性ポリマー（４、４ｂ）それぞれを測定するための前記システム（３２、３３、３４）を駆動するように構成されたことを特徴とする請求項７に記載の吸収性衛生用品の製造用機械。
【請求項９】
高吸収性ポリマー（４、４ｂ）からなる少なくとも１つの分散層（１９）を備えた吸収性パッド（２）で構成された吸収性衛生用品を製造するための方法であって、前記方法は、供給ライン（５）に沿って少なくとも１つの非浸透性材料の連続ウェブ（６）を供給するステップと、形成付着ユニット（７）によって前記連続ウェブ（６）に沿って吸収性パッド（２）の連続体（８）を形成し付着するステップとを含み、吸収性パッド（２）の連続体（８）を形成し付着する前記ステップは、高吸収性ポリマー（４、４ｂ）の充填物を前記自身のアクチュエータユニット（２０）によって駆動されるバルブ手段（１５）を備えた供給ダクト（１３）を介して成形ドラム（１０）に供給するステップを含み、
前記方法は、前記高吸収性ポリマー（４、４ｂ）が検出されたことを示す検出信号（１８）を送るステップと、前記検出信号（１８）を参照信号（４０）と比較するステップと、前記バルブ手段（１５）の前記アクチュエータユニット（２０）を前記成形ドラム（１０）の位相と合わせるように駆動するステップとを含むことを特徴とする吸収性衛生用品を製造するための方法。
【請求項１０】
前記高吸収性ポリマー（４、４ｂ）を検出したことを示す前記検出信号（１８）は、高吸収性ポリマー（４、４ｂ）の前記充填物が前記バルブ手段（１５）の下流の供給ダクト（１３）内を通過したときに送信され、前記参照信号（４０）は、前記成形ドラム（１０）の回転の前記同期信号であることを特徴とする請求項９に記載の吸収性衛生用品を製造するための方法。
【請求項１１】
前記高吸収性ポリマー（４、４ｂ）が検出されたことを示す検出信号（１８）を送信する前記ステップは、高吸収性ポリマー（４、４ｂ）の前記分散層（１９）の前記検出位置（２２）を検出するステップと、前記検出位置（２２）を参照位置（２３）と比較するステップと、前記検出位置（２２）の前記参照位置（２３）からの前記ずれに応じて、前記バルブ手段（１５）の前記アクチュエータユニット（２０）を前記成形ドラム（１０）の位相に合わせて駆動するステップとを含むことを特徴とする請求項９に記載の吸収性衛生用品を製造するための方法。
【請求項１２】
前記吸収性パッド（２）を形成する前記高吸収性ポリマー（４、４ｂ）の重量、密度プロファイルおよび重量プロファイルパラメータのうちの少なくとも１つを検出するステップを含むことを特徴とする請求項９から１１のいずれかに記載の吸収性衛生用品を製造するための方法。
【請求項１３】
さらに、前記高吸収性ポリマー（４、４ｂ）の前記重量、密度プロファイルおよび重量プロファイルパラメータのうちの少なくとも１つを制御駆動ユニット（１７）に送信するステップと、前記検出したパラメータをそれぞれの参照パラメータと比較するステップとを含み、さらに、前記検出したパラメータの前記参照パラメータからの前記ずれに応じて前記高吸収性ポリマー（４、４ｂ）をそれぞれ測定するためのシステム（３２，３３，３４）を駆動するステップを含むことを特徴とする請求項１２に記載の吸収性衛生用品を製造するための方法。
【請求項１４】
前記高吸収性ポリマー（４、４ｂ）の前記重量、密度プロファイルおよび重量プロファイルパラメータのうちの少なくとも１つを検出する前記ステップは、前記吸収性パッド（２）を形成し付着する前記形成付着ユニット（７）の下流にて行われることを特徴とする請求項１２または１３に記載の吸収性衛生用品を製造するための方法。
【請求項１５】
前記高吸収性ポリマー（４、４ｂ）の前記重量、密度分布および重量分布パラメータのうちの少なくとも１つを検出する前記ステップは、吸収性パッド（２）の前記連続体（８）を形成し付着する前記形成付着ユニット（７）で前記吸収性パッド（２）の成形中に行われることを特徴とする請求項１２または１３に記載の吸収性衛生用品を製造するための方法。
【手続補正２】
【補正対象書類名】明細書
【補正対象項目名】０００６
【補正方法】変更
【補正の内容】
【０００６】
図１を参照する。１は、吸収性衛生用品３９の製造用機械であり、その機械の全体を示す図である。吸収性衛生用品３９は、浸透性材料のシートおよび非浸透性材料のシートと、その間に挟持されて、液体を吸収する機能を有する吸収性衛生用品３９の一部を構成する吸収性パッド２とを備える。吸収性パッド２は、少なくとも第１の吸収性材料３７を有する。
【手続補正３】
【補正対象書類名】明細書
【補正対象項目名】００１２
【補正方法】変更
【補正の内容】
【００１２】
ユニット７は、バルブ手段１５の下流に位置する高吸収性ポリマー４を検出するための少なくとも１つの装置１６と、検出装置１６に接続した制御駆動ユニット１７を備える。
さらに具体的には、検出装置１６は、検出装置１６が分散層１９を形成する高吸収性ポリマー４を検出する毎に検出信号１８を送る。
制御駆動ユニット１７は検出信号１８を得てそれを所定の参照信号４０と比較するように構成されている。
検出信号１８と参照信号４０との間のずれに基づいて、制御駆動ユニット１７はバルブ手段１５のアクチュエータユニット２０を駆動してバルブ手段１５を成形ドラム１０の回転位相と合わせる。
【手続補正４】
【補正対象書類名】明細書
【補正対象項目名】００１３
【補正方法】変更
【補正の内容】
【００１３】
第１の実施形態では、検出装置１６は、供給ダクト１３の、具体的には第２の区間Ｔ２において、高吸収性ポリマー４のそれぞれの充填物の通過を検出し、検出信号１８を制御駆動ユニット１７に送信する。
なお、バルブ手段１５による供給が断続的なので、検出装置１６は、供給ダクト１３内の高吸収性ポリマー４を断続的に検出する。
この場合、制御駆動ユニット１７の参照信号４０は、吸収性パッド２を成形するドラム１０の同期信号である。
制御駆動ユニット１７は、検出信号１８をドラム１０の同期信号と比較して、検出信号１８と参照信号４０の間に、バルブ手段１５が成形ドラム１０と同位相でなくなるようなずれがあれば、ドラム１０の同期信号と位相を合わせてアクチュエータユニット２０を駆動する。
検出装置１６は、少なくとも一部が供給ダクト１３の内部に対向するマイクロ波共振器２１を備える。
【手続補正５】
【補正対象書類名】明細書
【補正対象項目名】００１９
【補正方法】変更
【補正の内容】
【００１９】
吸収性パッド２を正しく検査するためには、検出装置１６はパッド２の分散層１９を構成する高吸収性ポリマー４のみを検出するように較正する必要がある。
検出装置１６を較正するには、吸収性パッド２の分散層１９の位置２２の検出中に除外すべき構成要素が検出装置１６を通過する必要がある。
検出装置１６は、機械１の操作開始中に較正するのが好ましい。
よって、機械１の安定した運転中は、検出装置１６は、吸収性パッド２自体の分散層１９を構成する高吸収性ポリマー４を例外として、供給ライン５に沿って成形される吸収性製品３９の構成要素に関連する共鳴曲線は検出の対象から除外する。
【手続補正６】
【補正対象書類名】明細書
【補正対象項目名】００２１
【補正方法】変更
【補正の内容】
【００２１】
検出装置１６は、検出位置２２を制御駆動ユニット１７に送信し、後者は、位置２２を参照位置２３と比較してそのずれｄを算出する。
ずれｄが、バルブ手段１５がドラム１０と位相がずれるほどであったら、制御駆動ユニット１７はアクチュエータユニット２０を駆動してバルブ手段１５とドラム１０との位相をリセットする。
なお、検出装置１６で検出した位置２２は、検出装置１６の検出信号１８であり、参照位置２３は参照信号１９である。
検出装置１６のマイクロ波共振器２１が、吸収性パッド２を形成する１つ以上の吸収性材料３、４、４ｂを区別して検出可能である点は有利である。
言いかえれば、マイクロ波共振器２１を有する検出装置１６を使えば、天然繊維材料（フラッフ）３と、第１の吸収性材料３７の高吸収性ポリマー（ＳＡＰ）４と、吸収性パッド２の分散層３６を形成する高吸収性ポリマー（ＳＡＰ）４ｂの重量および密度プロファイル（重量プロファイル）を互いに区別して検出することができる。
【手続補正７】
【補正対象書類名】明細書
【補正対象項目名】００２６
【補正方法】変更
【補正の内容】
【００２６】
吸収性パッド２の連続体８を形成し付着するステップは、高吸収性ポリマー４の充填物を特定のアクチュエータユニット２０によって駆動されるバルブ手段１５を備えた供給ダクト１３を介して成形ドラム１０に供給するステップを含む。
この方法は、高吸収性ポリマー４が検出されたことを示す検出信号１８を送るステップと、検出信号１８を参照信号４０と比較するステップを含む。
検出信号１８と参照信号４０の間のずれに応じて、この方法は、バルブ手段１５のアクチュエータユニット２０の位相をドラム１０と合わせて駆動するステップを含む。
さらに具体的には、第１の実施形態において、高吸収性ポリマー４の充填物がバルブ手段１５の下流の供給ダクト１３内を通過した時に、高吸収性ポリマー４が検出されたことを示す検出信号１８が生成される。
【手続補正８】
【補正対象書類名】図面
【補正対象項目名】図１
【補正方法】変更
【補正の内容】
【図１】
2016515456.tif 000001
【手続補正９】
【補正対象書類名】図面
【補正対象項目名】図３
【補正方法】変更
【補正の内容】
【図３】
2016515456.tif 000002
【手続補正１０】
【補正対象書類名】図面
【補正対象項目名】図４
【補正方法】変更
【補正の内容】
【図４】
2016515456.tif 000003